(57)【特許請求の範囲】
【請求項１】
長尺状粘着シート(39)の粘着面側にパッド(2) を貼着し、予め所定間隔毎に切込部(5) が形成された長尺状剥離シート(38)を、前記パッド(2) を被覆するように前記長尺状粘着シート(39)の粘着面側に貼着し、次にハーフカット装置(28)により前記長尺状剥離シート(38)を切断せずに前記長尺状粘着シート(39)のみを切断して所望形状の絆創膏基材(3) を形成し、その後、複数枚の絆創膏基材(3) が１枚の剥離シート(4) に貼着され且つ前記絆創膏基材(3) に対応する数の切込部(5) が形成された状態となるように、該剥離シート(4) の寸法ごとに前記長尺状剥離シート(38)を切断することにより、粘着シート(1) の粘着面側にパッド(2) が貼着されて構成された複数枚の絆創膏基材(3) が、１枚の剥離シート(4) に剥離可能に貼着され、且つ前記剥離シート(4) の側縁から前記粘着シート(1) が貼着されている部分に跨がって、前記絆創膏基材(3) に対応する数の切込部(5) が形成された救急絆創膏を製造することを特徴とする救急絆創膏の製造方法。
【発明の詳細な説明】
【０００１】
【発明の属する技術分野】
本発明は、主として家庭用として皮膚の傷口等の部分に貼着して使用される救急絆創膏の製造方法に関する。
【０００２】
【従来の技術】
一般に、この種の救急絆創膏は、図１４及び図１５に示すように、粘着剤が塗着されたテープ状の粘着シート５１に、不織布等からなるパッド５２が設けられて絆創膏基材５３が構成され、そのパッド５２が覆われるように、絆創膏基材５３が剥離シート５４に剥離可能に貼着されて構成されている。
【０００３】
このような救急絆創膏は、使用時には絆創膏基材５３が剥離シート５４から剥離され、皮膚に貼着して使用されるものであるが、一旦貼着された後は皮膚から不用意に剥がれるべきではないため、粘着シート５１に塗着された粘着剤は、所望の粘着力を有している。
【０００４】
従って、その粘着力のために、絆創膏基材５３が単に剥離シート５１に貼着されているのみでは、絆創膏基材５３の粘着シート５１が剥離シート５４の全面に貼着されることとなるので、たとえ剥離シート５４にシリコーン等の離型処理がなされていても、絆創膏基材５３が剥離シート５４から容易に剥がれない場合がある。
【０００５】
そこで、一般の救急絆創膏においては、絆創膏基材５３を容易に剥離することができるように、図１４及び図１５に示すように、剥離シート５４が２枚の分離されたシート５４ａ，５４ｂ  からなり、その２枚のシート５４ａ，５４ｂ  のうちの１枚のシート５４ｂ  の先端側５５が折り曲げて形成されている。
【０００６】
そして、このように分離された２枚のシート５４ａ，５４ｂ  からなり、そのうちの１枚のシート５４ｂ  の先端側５５が折り曲げて形成された剥離シート５４と、粘着シート５１の粘着側にパッド５２を貼着して構成された絆創膏基材５３とからなる救急絆創膏の構造は、機能，コスト等の面で代替品が開発され難いことから、近年においては規格化されたものとなっている。
【０００７】
【発明が解決しようとする課題】
ところで、この種の救急絆創膏は、比較的安価で使用時の利便性に優れていることから現在では家庭の必需品であり、最近では薬局，薬店のみならずコンビニエンスストア等でも販売されており、その市場性は高まる一方である。
【０００８】
このように家庭での需要が依然として高い一方で、消耗品であることや不況等の要因で、この種の救急絆創膏の販売価格は年々低下している。
【０００９】
しかし、上述のように、救急絆創膏の構造は規格化されたものであり、現在以上に製造コストを低減させることは困難な状況となっている。従って低廉化する現在の販売価格も限界に近いものとなっている。
【００１０】
本発明は、このような問題点を解決するためになされたもので、上述のような規格化された救急絆創膏の構造を改変することによって、さらなる販売価格の低廉化を図り、しかも簡易な構造で使用時の利便性にも優れた全く新規な救急絆創膏を提供することを課題とする。
【００１１】
【課題を解決するための手段】
本発明は、このような課題を解決するために、救急絆創膏の製造方法としてなされたもので、本発明の製造方法によって製造される救急絆創膏は、粘着シート１の粘着面側にパッド２が貼着されて構成された複数枚の絆創膏基材３が、１枚の剥離シート４に剥離可能に貼着され、且つ前記剥離シート４の側縁から前記粘着シート１が貼着されている部分に跨がって、前記絆創膏基材３に対応する数の切込部５が形成された構成からなるものである。
【００１２】
このような構成からなる救急絆創膏を使用する場合には、剥離シート４に貼着されている複数の絆創膏基材３のうち、１枚の絆創膏基材３を剥離シート４から剥離し、剥離された絆創膏基材３を皮膚の所定部位に貼着する。
【００１３】
この場合において、剥離シート４の側縁から粘着シート１が貼着されている部分に跨がって切込部５が形成されているため、切込部５の部分が閉の状態から開の状態となるように、剥離シート４における切込部の両側の部分を相互に離間させると、絆創膏基材３の一部は未だ剥離シート４に貼着された状態であるが、他の部分は剥離された状態となり、従って、その剥離された部分から絆創膏基材３を容易に剥離することができるのである。
【００１４】
尚、複数の絆創膏基材３のうちの１枚の絆創膏基材３が剥離された後においても、他の絆創膏基材３は剥離シート４に残存しているため、そのまま包装箱等に収納することで他の絆創膏基材３を保存することができる。
【００１５】
そして、他の絆創膏基材３を使用する場合には、当該他の絆創膏基材３が剥離シート４に貼着された救急絆創膏を再び包装箱から取り出し、当該他の絆創膏基材３を剥離シート４から剥離し、皮膚の所定部位に貼着することができる。
【００１６】
ここで、切込部５は、絆創膏基材３の数に対応する分形成されているため、その切込部５は、剥離シート４の側縁から、残存する各絆創膏基材３ごとの粘着シート４が貼着されている部分に跨がって形成されていることとなり、従って残存するいずれの絆創膏基材３においても、上述のように切込部５の部分が閉の状態から開の状態となるように剥離シート４における切込部５の両側の部分を相互に離間させることで、絆創膏基材３の一部を剥離させた状態とし、その剥離された部分から絆創膏基材３を容易に剥離することができるのである。
【００１７】
そして本発明の救急絆創膏の製造方法としての特徴は、長尺状粘着シート39の粘着面側にパッド２を貼着し、予め所定間隔毎に切込部５が形成された長尺状剥離シート38を、前記パッド２を被覆するように前記長尺状粘着シート39の粘着面側に貼着し、次にハーフカット装置28により前記長尺状剥離シート38を切断せずに前記長尺状粘着シート39のみを切断して所望形状の絆創膏基材３を形成し、その後、複数枚の絆創膏基材３が１枚の剥離シート４に貼着され且つ前記絆創膏基材３に対応する数の切込部５が形成された状態となるように、該剥離シート４の寸法ごとに前記長尺状剥離シート38を切断して、上記のように、粘着シート１の粘着面側にパッド２が貼着されて構成された複数枚の絆創膏基材３が、１枚の剥離シート４に剥離可能に貼着され、且つ前記剥離シート４の側縁から前記粘着シート１が貼着されている部分に跨がって、前記絆創膏基材３に対応する数の切込部５が形成された構成からなる、救急絆創膏を製造することである。
【００１８】
【発明の実施の形態】
以下、本発明の実施形態について説明する。
【００１９】
（実施形態１）
図１は、一実施形態の救急絆創膏の平面図、図２は図１のＡ−Ａ線断面図である。
【００２０】
図１及び図２において、１はウレタン製のテープからなる平面略長方形状の粘着シートで、その裏面側には粘着剤（図示せず）が設けられている。粘着シート１の４辺は、いずれも直線状に形成されているが、各角部は若干曲線状に形成されている。
【００２１】
この粘着剤が設けられた粘着シート１の裏面側には、不織布からなる平面略長方形状のパッドが設けられている。そして、この粘着シート１とパッド２とによって絆創膏基材３が構成されている。
【００２２】
４は、前記絆創膏基材３を貼着するための略長方形状の剥離シートで、本実施形態においては、４枚の絆創膏基材３，…がそれぞれ横向きに、且つ前記剥離シート４の縦方向に４列に並設されている。
【００２３】
そして、前記剥離シート４の一側縁側（本実施形態では右側縁側）から前記粘着シート１が貼着されている部分に跨がって、各絆創膏基材３ごとに切込部５が形成されている。従って、切込部５は、絆創膏基材３の数に対応する数の分（本実施形態では４条）形成されることとなる。
【００２４】
そして、このような構成からなる救急絆創膏６を使用する場合には、先ず剥離シート４上に設けられた複数の絆創膏基材３，…のうち、１枚の絆創膏基材３の粘着シート１を剥離シート４から剥離する。
【００２５】
この場合において、剥離シート４の一方の側縁から粘着シート１が貼着されている部分に跨がって切込部５が形成されているため、切込部５の部分が閉の状態から開の状態となるように、図３及び図４に示すように、剥離シート４における切込部５の両側の部分４ａ，４ｂ  を相互に離間させると、絆創膏基材３の一方の部分４ａは未だ粘着シート１に貼着された状態であるが、他方の部分４ｂは剥離された状態となり、従って、その剥離された部分から図５に示すように絆創膏基材３を容易に剥離することができる。
【００２６】
このように絆創膏基材３を剥離シート４から剥離することにより、その絆創膏基材３を、パッド２が皮膚の部分に接触するような状態で、皮膚の所定位置に貼着することができる。
【００２７】
このようにして１枚の絆創膏基材３が使用された後、３枚の絆創膏基材３，…が残存しているが、続けて使用しない場合には、３枚の絆創膏基材３，…を剥離シート４上に残存させたままの状態で包装箱に収納し、保存することができる。
【００２８】
次に絆創膏基材３を使用する場合には、３枚の絆創膏基材３，…を剥離シート４上に残存させた救急絆創膏を再び包装箱から取り出し、最初の絆創膏基材３を剥離した場合と同様にして、２番目の絆創膏基材３を剥離シート４から剥離する。
【００２９】
この場合、切込部５は、絆創膏基材３の数に対応する数である４条形成されているため、その切込部５は、剥離シート４の側縁から、残存する各絆創膏基材３のいずれの粘着シートが貼着されている部分にも跨がって形成されていることとなる。
【００３０】
従って、残存している２番目の絆創膏基材３、さらには３番目の絆創膏基材３を剥離シート４から剥離する場合においても、上記最初の絆創膏基材３を剥離させる場合と同様に、切込部５の部分が閉の状態から開の状態となるように剥離シート４における切込部５の上側の部分とし下側の部分とを相互に離間させることで、一部のみ剥離された部分から絆創膏基材３を容易に剥離することができるのである。
【００３１】
剥離シート４から剥離した後は、最初の絆創膏基材３と同様にして、剥離された絆創膏基材３を皮膚の所定部位に貼着することができる。
【００３２】
（実施形態２）
本実施形態では、図６に示すように、粘着シート１の短辺側が曲線状に形成されており、この点で直線状に形成されている実施形態１の場合と相違する。ただし長辺側は、実施形態１と同様に直線状に形成されている。
【００３３】
剥離シート４上に貼着された絆創膏基材３の枚数、切込部５の条数、絆創膏基材３の構造等は上記実施形態と同じであるため、その詳細な説明は省略する。
【００３４】
本実施形態においても、切込部５の部分が閉の状態から開の状態となるように剥離シート４における切込部５の上下両側の部分を相互に離間させることで、剥離された部分から絆創膏基材３を容易に剥離することができるのである。
【００３５】
（実施形態３）
本実施形態では、図７に示すように、粘着シート１が略正方形状に形成されている。粘着シートの４辺はいずれも直線状に形成されているが、各角部は若干曲線状に形成されている。
【００３６】
また本実施形態では、図７に示すように、計８枚の絆創膏基材３，…が、縦方向に４列、横方向に２列、剥離シート４上に並列した状態で配設されている。
【００３７】
そして、剥離シート４の一方の側縁側（本実施形態では右側縁側）から右側に配列された粘着シート１が貼着されている部分に跨がって、右側４列の絆創膏基材３ごとに切込部５が形成され、剥離シート４の他方の側縁側（本実施形態では左側縁側）から左側に配列された粘着シート１が貼着されている部分に跨がって、左側４列の絆創膏基材３ごとに切込部５が形成されている。
【００３８】
従って、本実施形態においても、切込部５は、絆創膏基材３の数に対応する数の分（本実施形態では８条）形成されることとなる。
【００３９】
絆創膏基材３の構造、剥離シート４の形状等は、上記実施形態と同じであるため、その詳細な説明は省略する。
【００４０】
本実施形態においても、切込部５の部分が閉の状態から開の状態となるように剥離シート４における切込部５の上下両側の部分を相互に離間させることで、剥離された部分から絆創膏基材３を容易に剥離することができるのである。
【００４１】
（実施形態４）
本実施形態では、図８に示すように、２枚の絆創膏基材３，３が、縦方向２列に並設されている。
【００４２】
粘着シート１は、正方形に近い略長方形状に形成されており、粘着シート１の各辺はいずれも直線状に形成されているが、各角部は若干曲線状に形成されている。
【００４３】
そして、剥離シート４の一方の側縁側（本実施形態では右側縁側）から２枚の粘着シート１が貼着されている部分に跨がって、それぞれ切込部５が形成されている。
【００４４】
絆創膏基材３の構造、剥離シート４の形状等は、上記各実施形態と同じであるため、その詳細な説明は省略する。
【００４５】
本実施形態においても、切込部５の部分が閉の状態から開の状態となるように剥離シート４における切込部５の上下両側の部分を相互に離間させることで、剥離された部分から絆創膏基材３を容易に剥離することができるのである。
【００４６】
（実施形態５）
本実施形態においても、上記実施形態４と同様に、２枚の絆創膏基材３，３が、縦方向２列に並設されているが、本実施形態では、絆創膏基材３の形状が上記実施形態４と相違している。
【００４７】
すなわち、本実施形態においては、図９に示すように、上下に直線部及び斜縁部を有し、一方の側縁部に長辺部、他方の側縁部に短辺部が形成され、全体が略六角形状に形成されている。
【００４８】
そして、上段に配置された絆創膏基材３は、短辺が右側に位置し、下段に配置された絆創膏基材３は、短辺が左側に位置している。
【００４９】
上段に配置された絆創膏基材３については、剥離シート４の一方の側縁側（本実施形態では右側縁側）から上段の粘着シート１が貼着されている部分に跨がって切込部５が形成され、下段に配置された絆創膏基材３については、剥離シート４の他方の側縁側（本実施形態では左側縁側）から下段の粘着シート１が貼着されている部分に跨がって切込部５が形成されている。
【００５０】
（実施形態６）
本実施形態は、救急絆創膏の製造方法の実施形態である。
【００５１】
その製造方法について説明するに際し、先ず製造方法を実施するための製造装置の概略を図１０に従って説明する。
【００５２】
図１０において、７は長尺状剥離シート３８及び長尺状粘着シート３９が貼着された長尺状原反シート３７を巻き取るための原反ローラ、８は長尺状原反シート３７をバキュームで剥離して前記長尺状剥離シート３８及び長尺状粘着シート３９に分離するためのバキューム剥離ローラ、９は分離された長尺状剥離シート３８を巻き取るための巻取ローラをそれぞれ示す。
【００５３】
原反ローラ７からバキューム剥離ローラ８へ供給される長尺状原反シート３７は、ガイドローラ１０，１０  でガイドされ、バキューム剥離ローラ８で剥離されて巻取ローラ９へ供給される長尺状剥離シート３８は、ガイドローラ１１，１１  でガイドされる。
【００５４】
１２は長尺状パッド４０を巻き取るためのパッドローラ、１６は該長尺状パッド４０を所定寸法に切断するためのカッターロール、１７は該所定寸法に切断されたパッドをバキュームで吸着するためのバキュームアンビル、１８は該バキュームアンビル１７で吸着されたパッドを、前記長尺状粘着シート３９に貼着させて送るための粘着シート送りローラをそれぞれ示す。
【００５５】
パッドローラ１２からカッターロール１６、バキュームアンビル１７へ供給される長尺状パッド４０は、ガイドローラ１３，１３，１３、ガイドローラ１４，１４  、及びガイドローラ１５でそれぞれガイドされる。
【００５６】
１９は、前記パッドが貼着された長尺状粘着シート３９に貼着させるための長尺状剥離シート３８を巻き取るための巻取ローラ、２０は該長尺状剥離シート３８に後述する切込部５を形成するためのダイカット装置であり、該ダイカット装置２０は、上下を切込部形成ローラ２１，２１  を備えている。
【００５７】
巻取ローラ１９からダイカット装置２０へ供給される長尺状剥離シート３８は、ガイドローラ２２でガイドされる。
【００５８】
２３は、前記長尺状剥離シート３８を、前記パッドが貼着された長尺状粘着シート３９に貼着させるための貼着ローラであり、前記粘着シート送りローラ１８とともに長尺状剥離シート３８と長尺状粘着シート３９との貼着を行うものである。
【００５９】
２４は、パッドを介装させた状態で前記長尺状剥離シート３８と長尺状粘着シート３９とが貼着されて構成された長尺状貼合せシート４１を次工程へガイドするためのガイドローラを示す。
【００６０】
２５ａ，２５ｂ，２５ｃ  は、前記長尺状貼合せシート４１を反転して移送させるための３本の反転用ローラを示し、この３本の反転用ローラ２５ａ，２５ｂ，２５ｃ  は、側面から見て上中下の３段に配置され、また平面から見ると、下段の反転用ローラ２５ａ  は図１１に示すように中段の反転用ローラ２５ｂ  に対して約４５度の角度をなして配置され、上段の反転用ローラ２５ｃ  は図１２に示すように中段の反転用ローラ２５ｂ  に対して逆向きに約４５度の角度をなして配置されている。
【００６１】
２８は、前記長尺状剥離シート３８を切断せずに前記長尺状粘着シート３９のみを切断するハーフカット装置であり、カッターローラー２６及び保持ローラー２７を具備して構成されている。
【００６２】
２９は、前記ハーフカット装置２８で切断された長尺状粘着シート３９の不要部分（廃棄部分）を付き取るための廃材ローラ、３０，３０  は前記ハーフカット装置２８で長尺状粘着シート３９の部分が所望形状に形成された長尺状貼合せシート４１を供給するフィードローラである。
【００６３】
３１は、長尺状貼合せシート４１、より詳しくは長尺状剥離シート３８を所定寸法ごとに切断するための全カット装置であり、カッターローラー３２及び保持ローラー３３を具備して構成されている。
【００６４】
３４は、前記全カット装置３１で切断されて製造される救急絆創膏を排出するための排出用コンベアで、左右のローラ３５，３６  にベルトを架け渡して構成されている。
【００６５】
次に、上記のような製造装置を用いて救急絆創膏を製造する方法について説明する。
【００６６】
先ず、原反ローラ７から、長尺状剥離シート３８及び長尺状粘着シート３９が貼着された長尺状原反シート３７を供給し、バキューム剥離ローラ８で剥離して長尺状剥離シート３８を長尺状粘着シート３９から分離する。
【００６７】
分離された長尺状剥離シート38は、巻取ローラ９で巻き取られる。また分離後の長尺状粘着シート39は、粘着シート送りローラ18へ供給される。
【００６８】
一方、パッドローラ１２から長尺状パッド４０がカッターロール１６へ供給され、該カッターロール１６で前記パッド２となるべき所定寸法に切断され、切断後の多数のパッドはバキュームアンビルで吸着されて所定間隔を保持した状態で、粘着シート送りローラ１８側へ送られる。
【００６９】
粘着シート送りローラ１８側へ送られた多数のパッドは、同様に粘着シート送りローラ１８側へ供給されてきた長尺状粘着シート３９に順次貼着される。
【００７０】
次に、巻取ローラ１９から、長尺状剥離シート３８をダイカット装置２０へ供給する。この場合、長尺状剥離シート３８は、新たに準備したものを用いてもよいが、前記巻取ローラ９で巻き取られたものを再利用することも可能である。
【００７１】
ダイカット装置２０へ供給された長尺状剥離シート３８には、所定間隔ごとに前述した切込部５が形成される。
【００７２】
このようにして切込部５が形成された長尺状剥離シート３８は、粘着シート送りローラ１８及び貼着ローラ２３へ供給され、多数のパッドが順次貼着された長尺状粘着シート３９に貼着される。
【００７３】
パッドを介装させた状態で前記長尺状剥離シート３８と長尺状粘着シート３９とが貼着されて構成された長尺状貼合せシート４１は、その後、長尺状剥離シート３８が上面側、長尺状粘着シート３９が下面側となるように移送されるが、反転用ローラ２５ａ，２５ｂ，２５ｃ  でその上下が反転される。
【００７４】
これを詳細に説明すると、長尺状貼合せシート４１は、先ず図１１に示すように下段の反転用ローラ２５ａ  で長尺状粘着シート３９が上面側となるように反転されるとともに９０度の角度をなして移送され、次に中段反転用ローラ２５ｂ  で長尺状剥離シート３８が上面側となるように再び反転される。
【００７５】
反転された長尺状貼合せシート４１は、図１２に示すように上段の反転用ローラ２５ｃ  で長尺状粘着シート３９が上面側となるように再び反転されるとともに９０度の角度をなして移送される。
【００７６】
このように３つの反転用ローラ２５ａ，２５ｂ，２５ｃ  を通過した結果、長尺状貼合せシート４１は、元の移送方向と同じ方向に移送されながら、反転用ローラ２５ａ，２５ｂ，２５ｃ  の通過前と比較して上下面が反転された状態、すなわち長尺状粘着シート３９が上面側となる状態で移送されることとなるのである。
【００７７】
反転されて移送される長尺状貼合せシート４１は、ハーフカット装置２８へ移送され、そのハーフカット装置２８で保持ローラー２７で保持されつつカッターローラー２６でハーフカットされる。
【００７８】
すなわち、図１３に示すように、長尺状剥離シート３８の部分は切断されず、長尺状粘着シート３９のみが切断されることとなる。
【００７９】
この結果、長尺状粘着シート３９の所定位置が切断されて所望形状に形成されるとともに、切断後の不要部分（廃棄部分）は廃材ローラ２９に巻き取られる。
【００８０】
この場合の所定位置とは、上記各実施形態のような所望形状の絆創膏基材３の輪郭に沿うような位置であり、製造すべき絆創膏基材３の形状に応じてハーフカットする位置が決定される。
【００８１】
次に、ハーフカット後の長尺状貼合せシート４１を全カット装置３１へ供給し、上述のようなパッド２及び粘着シート１からなる複数枚の絆創膏基材３が１枚の剥離シート４に貼着された状態となるように、所定間隔ごと、すなわち剥離シート４の寸法ごとに長尺状剥離シート３８を切断する。
【００８２】
この結果、所定寸法の救急絆創膏６が連続して製造されることとなるのである。
【００８３】
製造された救急絆創膏６は、排出用コンベア３４によって装置の外部に排出される。
【００８４】
以上のような工程を経て救急絆創膏６が製造されることになるが、ハーフカット装置２８で切断する形状を任意に変更することで、絆創膏基材３の形状に任意に設定することができ、また全カット装置３１で切断する位置を任意に変更することで、剥離シート４に貼着される絆創膏基材３の枚数を任意に設定することができるのである。
【００８５】
尚、剥離シート４上に設けられる絆創膏基材３の枚数も上記各実施形態の４枚、８枚、２枚等に限定されるものではなく、その枚数は問わない。要は、複数枚であればよい。
【００８６】
従って、剥離シート４に形成される切込部５の数も問わない。要は、絆創膏基材３に対応する数の切込部５が形成されていればよいのである。
【００８７】
また、該実施形態では、絆創膏基材３が略正方形状、略長方形状、略六角形状に形成されていたが、絆創膏基材３の形状は該実施形態に限定されるものではなく、任意に変更可能である。たとえば楕円形状、三角形状等に形成することも可能である。
【００８８】
さらに、上記実施形態では、粘着シート１がウレタン製のテープで構成されていたが、粘着シート１の材質も該実施形態に限定されるものではなく、たとえばポリ塩化ビニル等の他の合成樹脂製フィルムで構成されていてもよい。
【００８９】
さらに、パッド２は、上記実施形態のように主として不織布で構成されるものであるが、不織布以外の素材のもので構成することも可能である。
【００９０】
尚、絆創膏基材３のパッドには、たとえば化粧品の有効成分としての液状物を含浸することも可能であり、また、たとえば医薬品や医薬部外品等として使用される液状物を含浸させることも可能であり、さらに、これ以外の液状物を含浸させることも可能である。
【００９１】
さらに、皮膚貼着用シートの貼着部位も問うものではなく、手、足、その他人体の皮膚の任意の部位に貼着することが可能である。
【００９２】
【発明の効果】
叙上のように、本発明の製造方法によって製造された救急絆創膏は、従来の救急絆創膏のように粘着シートとパッドからなる１個の絆創膏基材に対して、２枚の分離された剥離シートが貼着されたような形態のものではなく、複数枚の絆創膏基材が１枚の剥離シートに貼着されて構成されたものであるため、従来に比べて構造が簡易化され、また製造を容易に行うことができ、ひいては製造コスト、とりわけ１枚の絆創膏基材にかかる製造コストを従来に比べて著しく低減することができるという効果がある。
【００９３】
また、剥離シートの側縁から粘着シートが貼着されている部分に跨がって絆創膏基材に対応する数の切込部が形成されているため、その切込部の両側の部分を上述のように相互に離間させることで、絆創膏基材を剥離シートから容易に剥離することができる。
【００９４】
従って、従来のように剥離シートの先端側を折り曲げて形成しなくとも、絆創膏基材の剥離を容易にするための構造が得られ、この点においても構造の簡易化や製造コストの低減に寄与している。
【００９５】
このように、本発明においては、従来の規格化された救急絆創膏の構造を改変することによって、さらなる販売価格の低廉化を図り、しかも簡易な構造で使用時の利便性にも優れた全く新規な救急絆創膏を提供しうるに至った。
【００９６】
さらに、本発明の救急絆創膏の製造方法においては、長尺状粘着シートの粘着面側にパッドを貼着し、該パッドを被覆するように長尺状剥離シートを前記長尺状粘着シートの粘着面側に貼着し、次にハーフカット装置により前記長尺状剥離シートを切断せずに前記長尺状粘着シートのみを切断して所望形状の絆創膏基材を形成し、その後、複数枚の絆創膏基材が１枚の剥離シートに貼着された状態となるように、該剥離シートの寸法ごとに前記長尺状剥離シートを切断して救急絆創膏が製造されるため、上記のような新規な構造の救急絆創膏が自動的且つ連続的に製造されるという効果がある。
【図面の簡単な説明】
【図１】一実施形態の救急絆創膏の平面図。
【図２】図１のＡ−Ａ線断面図。
【図３】剥離シートの一部を剥離した状態の平面図。
【図４】剥離シートの一部を剥離した状態の断面図。
【図５】１枚の絆創膏基材を剥離シートから剥離した状態の平面図。
【図６】他の実施形態の救急絆創膏の平面図。
【図７】他の実施形態の救急絆創膏の平面図。
【図８】他の実施形態の救急絆創膏の平面図。
【図９】他の実施形態の救急絆創膏の平面図。
【図１０】救急絆創膏の製造工程の全体を示す概略側面図。
【図１１】反転ローラの部分を示す要部拡大平面図。
【図１２】反転ローラの部分を示す要部拡大平面図。
【図１３】長尺状貼合せシートをハーフカットした状態を示す要部拡大断面図。
【図１４】従来の救急絆創膏の平面図。
【図１５】図１４のＢ−Ｂ線断面図。
【符号の説明】
１…粘着シート        ２…パッド
３…絆創膏基材        ４…剥離シート
５…切込部            ６…救急絆創膏
【図１】
0003602083.tif 000002
【図２】
0003602083.tif 000003
【図３】
0003602083.tif 000004
【図４】
0003602083.tif 000005
【図５】
0003602083.tif 000006
【図６】
0003602083.tif 000007
【図７】
0003602083.tif 000008
【図８】
0003602083.tif 000009
【図９】
0003602083.tif 000010
【図１０】
0003602083.tif 000011
【図１１】
0003602083.tif 000012
【図１２】
0003602083.tif 000013
【図１３】
0003602083.tif 000014
【図１４】
0003602083.tif 000015
【図１５】
0003602083.tif 000016